Podtech/llm-jp-corpus-v4-ja_patent huggingface dataset:
(57)【要約】      （修正有）【課題】特定方向だけに巻き取り駆動をするロールシート交換時のシート同士の接合において、接続材料のコスト削減と、接続材料を使用しない事による資源リサイクルの促進を図る。【解決手段】特殊形状の切り抜き刃で、重ね合わせたシート同士を切り抜く機械で重ね合わせたシートを切り抜いて、シートを前後のどちらかにずらす事によってシート同士が接合される。【選択図】図１
2015044679.tif 000002
【特許請求の範囲】
【請求項１】
上刃付きドライバと下刃付きドライバとを備えた接合器であって、
前記上刃付きドライバの上刃と前記下刃付きドライバの下刃とは噛合うように構成されている接合器。
【発明の詳細な説明】
【技術分野】
【０００１】
資源リサイクル  
【背景技術】
【０００２】
産業用のロールシートを製品として加工切断するような工程において、ロールシートを
交換する際に図４のようにシートの反りなどを低減するために多数の軸ローラーを再度通
過さねばならないため、通紙作業に手間がかかるので次のロールシートを交換前のロール
シートの終端に接続テープなどで接続する必要があった。
【先行技術文献】
【特許文献】
【０００３】
【特許文献１】特開２００２−１４５２１４
【発明の概要】
【０００４】
特定方向だけに巻き取り駆動するロールシート状の加工素材を交換する際に接続材料な
しで接合できる手法を提供する。
【発明が解決しようとする課題】
【０００５】
ロールシートの切断加工工程などにおいて、特定方向だけに巻き取り駆動巻き出し側の
加工用のロールシートが終了すると、次の切断加工用のロールシートを装填した時に終了
したロールシートの終端に接続材を用いて次のロールシートを接続する必要があった。接
続材のコスト削減のためと、接続材を使用した加工用素材は接続材の不純物が混入すると
原材料としてのリサイクルが困難であったため、産業廃棄物として処分せざるを得なかっ
たのでコストや環境面での懸念があった。
【課題を解決するための手段】
【０００６】
上刃付きドライバと下刃付きドライバとを備えた接合器であって、
前記上刃付きドライバの上刃と前記下刃付きドライバの下刃とは噛合うように構成されている接合器である。
【発明の効果】
【０００７】
従来の使用接続材のコスト削減と、接続材を用いない事により不純物がなくなるため接
続材を使用した加工用素材シートの原料へのマテリアルリサイクルが容易になるため、接
続材を使用した加工用素材の廃棄部分がなくなるため廃棄処分費用が節約できる。
【図面の簡単な説明】
【０００８】
【図１】独立したシートＡ、Ｂを接合する方法の説明図である。
【図２】一辺を残して重ねたシートを切り抜く形状の説明図である。
【図３】重なり合ったシートの切断機の説明図である。
【図４】シートロール状のシートを製品用に切断加工する機械の一般的な参考図である。
【発明を実施するための形態】
【実施例】
【０００９】
図３の機械の上側ドライバ先端部に、同じく図２の形状の切り抜き刃を装着し、対にな
った形状の受け刃である下刃と下刃支えとなる下側ドライバで構成する。
【００１０】
図３の機械を重ね合わせたシートＡ、Ｂの横から上刃と下刃で挟み込み、重ね合わせた
シートを図２の切り抜き形状にて切り取る。
【００１１】
詳細ついて説明すると接合通紙を行うため図１の通りシート同士を重ね合わせ、図形の閉塞しない１辺を切り落とさないように形状加工した切断用上刃を装着した図３のドライバ（シートを押し下げる切断用上刃）を手の力により押し下げて重なり合ったシートを切断しながら上刃と下刃が重なり合って２枚のシートの一辺を切り残す状態までドライバを押し下げて、シートの通紙方向反対側の一辺を残す。切り抜いたままの状態で２枚のシート切片を押し下げたまま新しく接続した側のシートＢを後方にずらすとシートＡ、Ｂの切り抜き断面が重なり合い、シートＡを進行方向に巻き出す、あるいはシートＢを少し巻き戻すとシートＡ、Ｂは接着されたように無接着接合される。なお、切り抜いた図形の閉塞しない１辺が駆動方向に対して前側になるか後ろ側になるかはシートＡ、Ｂの重ね合わせ状態による。シートＡが下になる場合は駆動の作用方向に対して後ろ側に切り落とさない１辺を残すことになるが、図２の例の通り矢印型やハート型などで切り落とさない１辺に対して図形の上部の幅が大きくなる場合はシートＡＢの重ね合わせる上下の順番はどちらでもよい。    
【産業上の利用可能性】
【００１２】
接続通紙作業を必要とする業種において、原材料のマテリアルリサイクルに意欲の高い
業界や廃棄物の削減に取り組む企業に有用である。産業用ロールシート等の接続に使用できる。
【図１】
2015044679.tif 000003
【図２】
2015044679.tif 000004
【図３】
2015044679.tif 000005
【図４】
2015044679.tif 000006
(57)【要約】【課題】  ゴミ袋の口を簡単に閉じることができる、結びやすい形状のゴミ袋を提供する。【解決手段】  ゴミ袋上部をＵ字型に成形してひも状の帯を設け、ひも状の帯を相互に結ぶことにより、力の弱い人またはゴミを多く入れた場合でも、ゴミ袋の口を簡単に閉じることができることを特徴とする。【選択図】図１
2015044690.tif 000002
【特許請求の範囲】
【請求項１】
ゴミ袋上部をＵ字型に成形してゴミ袋の上部にひも状の帯を設け、ひも状の帯を相互に結ぶことにより、簡単にゴミ袋の口を閉じることができることを特徴とする結びやすい形状のゴミ袋
【発明の詳細な説明】
【技術分野】
【０００１】  本発明は、ゴミ袋の口を簡単に閉じることができる、結びやすい形状のゴミ袋の提供に関するものである。
【背景技術】
【０００２】  従来、ゴミ袋の口は直線であるため、口を閉じるためには直線部分を円錐型にしなければならず、力の弱い人またはゴミを多く入れた場合には口を縛るのは容易ではない。
【先行技術文献】
【０００３】
【特許文献】
【特許文献】  登録実用新案第３００１０３３号
【発明の概要】
【発明が解決しようとする課題】
【０００４】  ゴミ袋は、口を閉じる時に直線の面を円錐状にしなければならないため、かなりの力を必要とし、力の弱い人またはゴミを多く入れた場合には、ゴミ袋の口を閉じることは容易ではない。
【課題を解決するための手段】
【０００５】  本発明は、ゴミ袋上部をＵ字型に成形してひも状の帯を設け、ひも状の帯を相互に結ぶことにより、簡単にゴミ袋の口を閉じやすくして問題点を解決している。
【発明の効果】
【０００６】  本発明は、ゴミ袋上部をＵ字型に成形してひも状の帯を設け、ゴミ袋の口を閉じやすくすることにより、力の弱い人またはゴミを多く入れた場合でも、ゴミ袋の口を閉じることを簡単にしたものである。
【図面の簡単な説明】
【０００７】
【図１】  本発明の全体図である。
【発明を実施するための形態】
【０００８】  以下、本発明の実施例を図１に従って説明する。
【実施例】
【０００９】  上部をＵ字型に成形してひも状の帯を設けたゴミ袋の１と２及び３と４のひも状の帯を相互に結ぶことにより、簡単にゴミ袋の口を閉じることができる。
【符号の説明】
【００１０】  １        ひも状の帯
２        ひも状の帯
３        ひも状の帯
４        ひも状の帯
【図１】
2015044690.tif 000003
(57)【要約】【課題】タイヤチェーン取り付けるにあたって３列に繋がっている縦方向のタイヤチェーンの鎖とクロスチェーンと言われる横方向の鎖が個々に動く為とても不安定な動きをする。一番奥側の鎖同士を固定させて、次に中央の鎖、最後に外側にある鎖を固定させるといった締め付け方法では、タイヤチェーンを取り付ける際に非常に手間がかかる。最も奥の鎖同士を固定させることは、手の届きづらい場所であると同時に目視がしづらい場所にあるため取り付け作業が困難である。【解決手段】ダブルチェーンの両端部を金属製の装着補助具に固定させることにより縦方向の３列のチェーンを一体化させることで安定した状態でタイヤに装着が可能になる。安定した状態になったタイヤチェーンは両端の装着補助具同士を固定することにより、奥側の鎖と中央の鎖と外側の鎖を個別に固定すること無く、両端の装着補助具同士を固定することで安定した状態で時間を短縮して装着が可能になる。【選択図】図２
2015044558.tif 000002
【特許請求の範囲】
【請求項１】
２のダブルチェーンの両端に３−１タイヤ固定側装着補助具と３−２装着補助具を予め固定させて一体化させたものを用意する。次に３−１のタイヤ固定側装着装置を引き出して駆動輪に直接装置を取り付けて、当該車両が自走して一回転することにより２のダブルチェーンが１のダブルタイヤ全体を覆って３−１のタイヤ固定側装着補助具と３−２装着補助具が最終的に近接するまで移動させる。３−１タイヤ固定側装着補助具と３−２装着補助具を合体させ固定を終了させるダブルチェーン装着補助装置。
【請求項２】
２のダブルチェーンに３−１タイヤ固定側装着補助具と３−２装着補助具を固定させ一体化した装着装置を収納するには車両のタイヤハウス付近に４の装着装置収納箱を固定させてその中に収納する。この装着装置のチェーン全体を絡ませないように５のタイヤチェーン巻取り歯車に噛み合わせて一定のテンションを与えながら排出及び巻取りを電動若しくは手動で５の歯車を回転させて行う。４の装着装置収納箱には装着装置全体を凍らせない為にマフラーより６の装着装置排熱配管のバイパスを儲けて強制排熱することにより装置全体の凍結を防止する装置
【発明の詳細な説明】
【技術分野】
【０００１】本発明はトラック及びバス等の大型車両が本来義務付けられているダブルタイヤにダブルチェーンを装着する為に労力を要さず短時間で装着できる装置に関するものである。
【背景技術】
【０００２】道路交通法で義務付けられている全ての駆動輪へイヤチェーンの装着には大変な労力と技術が必要であることからダブルタイヤへダブルチェーンを装着する運転手は少ないのである。そのダブルチェーンの重量も重くて一人で作業するには重労働の作業である。【０００３】このダブルタイヤへタイヤチェーンを装着するのには、大型車両の一番奥側のタイヤへ連結の作業をするときに目視がしづらく手の届きづらい場所にあることからかなり難しいのである。
【発明の概要】
【発明が解決しようとする課題】
【０００４】解決しようとしている問題点としては、ダブルタイヤのダブルチェーンは装着するのにかなり重くて取扱が一苦労である。そのため一般的な運転手はダブルタイヤでもシングルチェーンの装着にて危険な運転を余儀なくされている。如何にタイヤチェーンの装着作業が安全に確実に尚且つ短時間で装着できて最後は絶対に外れない装着が望まれる。このタイヤチェーンの装着装置を使用して作業者の時間短縮や疲労軽減が出来るかが課題である
【課題を解決するための手段】
【０００５】誰でも簡単に装着が可能なダブルタイヤに巻きつけることが可能な装着補助具を使用することで重たいダブルチェーンを持ち上げる事無くタイヤチェーンを装着することが可能になる。内側のタイヤと外側のタイヤへ同時にタイヤチェーンを装着することで作業時間が大幅に短縮できる。本発明は降雪時の極寒な環境の中で作業を強いられる作業員へ誰が使用しても安全な作業を確実なものとする。
【発明の効果】
【０００６】本発明のタイヤチェーン装着装置を使用することにより、作業者の労務環境を改善することが出来ると同時に作業性が向上することにより作業時間の短縮が図れる。
【図面の簡単な説明】
【０００７】
【図１】、
【図２】は本発明品の斜ずで、本発明品の装着作業を説明している図である。
【発明を実施するための形態】
【０００８】本発明において使用する装置は、作業性を顧慮して作業員が簡単に装着できなければならない。深夜の作業ともなれば、雪や氷が装置に付着して作業に支障が出る可能性もある。したがって複雑な形状や操作方法ではむしろ作業時間のロスにつながる。
【０００９】本発明品のタイヤチェーン装着装置は最後まで一貫して自動装着すると大変複雑で大掛かりになるため、タイヤに巻きつけるための必要最低限の高さまで覆いかぶせるための装置とする。
【実施例１】
【００１０】本発明品の実施例について説明する。【００１１】先ず外れた状態の市販されているダブルタイヤ用のダブルチェーンを装着補助具にその両端を固定する。固定された装着補助具を最初に駆動する車輪に固定して補助具につながれたダブルチェーンを車両の車輪が一回転して車輪全体を覆うまで移動させる。一回転した装着補助具付きのダブルチェーンを最終的に両方の装着補助具同士を固定させて取り付け作業が終了となる。
【産業上の利用可能性】
【００１２】本発明品は大型タイヤのタイヤチェーンの装着補助のみではなく普通自動車等のタイヤチェーンを装着する時にもこの装置が取り付け時間の短縮等の目的で大変有効であると考えられる。
【符号の説明】
【００１３】１ダブルタイヤ  ２ダブルチェーン  ３−１タイヤ固定側装着補助具
３−２装着補助具  ４装着装置収納箱  ５タイヤチェーン巻取り歯車
６装着装置排熱配管
【図１】
2015044558.tif 000003
【図２】
2015044558.tif 000004
(57)【要約】【課題】パソコン上でブロックを操作したり、ペンで編集したりした学習のプロセスを保存・再現・再編集することを可能とする。【解決手段】パソコン上でブロックを操作したり、ペンで編集したりした学習のプロセスを保存・再現・再編集することを可能とするために、それらの機能を実現するプログラミングをアプリに組み込む。【選択図】図２
2015118356.tif 000002
【特許請求の範囲】
【請求項１】
計算がおわったときに、その学習のプロセスそのものとそれにかかった時間をそのままデータとして保存するデジタル教材。
【請求項２】
計算の始めから終わりまでの学習プロセスを再生するデジタル教材。
【請求項３】
過去に保存した学習履歴を呼び出し、再生した学習プロセスをやり直せるように再編集したり、再編集したものを保存したりすることができるデジタル教材。
【発明の詳細な説明】
【技術分野】
【０００１】  本発明は、思考プロセスの再構成を促すデジタル教材に関する。
【背景技術】
【０００２】  「数のブロック」は、算数科における低学年の「数と計算」領域の指導においては欠かすことのできないアナログの教具である。図１は「数のブロック」を表す。【０００３】  一方で、使える数は常時２０個程度で並べたり置き換えたりするのに時間がかかる。また、低学年の学習者にとっては、発達段階の理由などから、数多くのブロックを机上で同時に扱う能力が十分なレベルに達していないという問題も指摘されている。さらに、そのことが原因となって、十進位取り記数法の概念を基にした四則演算の計算の具体的な手続きに関する知識や理解に困難をもたらす難しい現状が問題となっていた。【０００４】  この改善対策として、「数のブロック」を仮想的にデジタルに置き換え、パソコン上で半具体物として数学的操作を行う方法がある。この場合、使える数は必要に応じて限界がないだけでなく、並べたり置き換えたりするのはタブレットパソコン（以下、「ＴＰＣ」という。）のペンによる簡単なドラッグ操作で可能である。また、下位のブロック１０個が上位のブロック１個と交換されるという十進位取り記数法の概念を瞬時にイメージとして理解できるように工夫したものが図２で表したものである。このデジタル教材を用いた場合、扱うブロックの数の物理的限界は解決し、計算のプロセスはイメージとして認識・理解しやすくなり、学習者の四則演算における理解度は大幅に向上する。しかしながら、図２で示したデジタル教材には学習のプロセスを記録・再現・再編集できないという技術的な問題が残っていた。
【発明の概要】
【発明が解決しようとする課題】
【０００５】  解決しようとする問題点は、パソコン上でブロックを操作したり、ペンで編集したりした学習のプロセスを保存・再生・再編集することができない点である。
【課題を解決するための手段】
【０００６】  本発明は、パソコン上でブロックを操作したり、ペンで編集したりした学習のプロセスを保存・再生・再編集することを可能とするために、それらの機能を有するプログラミングをアプリに組み込んだ点である。
【発明の効果】
【０００７】  授業において、データ保存した学習履歴を呼び出し、過去に行った学習プロセスを忠実に再現し、その再現された思考のプロセスを学習者が自己認識することによって、その数的処理の正しさや間違いを容易に確認できたり、それを踏まえて新たに知識や理解を作り直したりすることが容易になるといった利点がある。
【図面の簡単な説明】
【０００８】
【図１】従来のアナログ教材の実践方法を示した図である。
【図２】デジタル教材の実践方法を示した図である。
【発明を実施するための形態】
【０００９】  コンテンツ内での操作を再現するという目的は、操作の種類、ポインティングデバイスの位置などの情報を全て記録し、記録した操作順に再現していくことで実現した。保存にいては再現を行う時に記録した情報をテキストファイルに書き出すことで実現した。再編集については、保存されている記録の最後から、新たな操作の情報を記録していくことで実現した。
【実施例】
【００１０】  図３は、ブロックを右から左へ移動する操作を再現する際、ブロックをクリックするところから、移動し、放すまでの情報を全て記録し、記録順にプログラムで再現していく。図４は、ペンツールにより、線を描き、描かれた線を再現する際、線の書き始めから、描き終るまでの情報を全て記録し、記録順にプログラムで再現していく。
【図１】
2015118356.tif 000003
【図２】
2015118356.tif 000004
【図３】
2015118356.tif 000005
【図４】
2015118356.tif 000006
【手続補正書】
【提出日】平成26年6月23日(2014.6.23)
【手続補正１】
【補正対象書類名】明細書
【補正対象項目名】０００８
【補正方法】変更
【補正の内容】
【０００８】
【図１】従来のアナログ教材の実践方法を示した図である。
【図２】デジタル教材の実践方法を示した図である。
【図３】ブロック操作の再現方法を示した図である。
【図４】描画操作の再現方法を示した図である。
(57)【要約】【課題】  自動電話による自動音声でお店の空き確認をし、予約までするシステムを提供する。【解決手段】  要求アプリ部１と前記要求アプリ部１が出力した内容から該当するお店を選らぶサーバ部２と選んだお店に自動電話を掛ける自動電話部３とサーバ部２内のデータを設定する設定アプリ部４からなる自動電話によるお店の予約システムを特徴とする。【選択図】図１
2015122716.tif 000002
【特許請求の範囲】
【請求項１】
要求アプリ部１と前記要求アプリ部１が出力した内容から該当するお店を選らぶサーバ部２と選んだお店に自動電話を掛ける自動電話部３とサーバ部２内のデータを設定する設定アプリ部４からなる自動電話によるお店の予約システム。
【発明の詳細な説明】
【技術分野】
【０００１】  この発明は、要求アプリから入力された条件に該当するお店に自動電話による自動音声で予約確認をし、予約が取れたら、要求アプリ操作者に予約の取れたお店を提示する、自動電話によるお店の予約システムに関するものである。
【背景技術】
【０００２】  サーバにお店の空き情報を入力してもらい、選択側がその情報を見て選択するシステムはあったが、自動電話で空き確認をし、予約までするシステムはなかった。
【発明の開示】
【発明が解決しようとする課題】
【０００３】  従来は次のような欠点があった。
他店にお店の空き情報がわかってしまうという課題があった。また、選択側の依頼を見過ごす課題もあったし、見過ごさないようにするために人をアサインせざるを得ず、コストがかかるという課題もあった。
【課題を解決するための手段】
【０００４】  要求アプリ部と前記要求アプリ部が出力した内容から該当するお店を選らぶサーバ部と選んだお店に自動電話を掛ける自動電話部とサーバ部内のデータを設定する設定アプリ部を設ける。
本発明は、以上の構成により、自動電話でお店を予約するシステムである。
【発明の効果】
【０００５】  利用者は突然のお店行きの状況になったとき、システムを使って自動でお店を予約でき、手間がかからない。
また、お店側は、お店の情報を他店に知られることがなく、要求も必ずキャッチでき、データの更新設定もシビアにする必要がない。
【発明を実施するための最良の形態】
【０００６】  以下、本発明を実施するための最良の形態について図１を使って説明する。
図１に示すように本発明は要求アプリ部１と前記要求アプリ部１が出力した内容から該当するお店を選らぶサーバ部２と選んだお店に自動電話を掛ける自動電話部３とサーバ部２内のデータを設定する設定アプリ部４から構成される。
例えば５人の人間が近くにある３０００円ぐらいで飲食できるという条件で入れる居酒屋に行きたい状況があるとする。利用者はスマートフォンの要求アプリ部１に人数とお店のジャンルと金額カテゴリを入力する。すると要求アプリ部１はサーバ部２に条件データを送り、サーバ部は登録されている条件にあったお店に自動電話部３を起動し、セレクトしたお店に順番に自動電話をかける。お店の人が電話に出る。自動電話の内容は次のようなものである。「お店の空きの確認です。これから行きます。人数は５人です。入れますか？入れる場合にはプッシュボタンの１を押してください。入れない場合には、電話を切ってください」。空きがあるのでお店の人はプッシュボタンの１を押す。すると自動電話は続けて「名前は、○○××です。電話番号は○○××です。もう一度聞く場合には、プッシュボタンの１を押してください。」予約が完了したので、サーバ部２は要求アプリ部１に予約の取れたお店の情報を送り、利用者は要求アプリ部１のレスポンスとして予約の取れたお店の情報が確認できる。お店は席が埋まったので、スマートフォンの設定アプリ部４を使って空き情報を無しに設定する。この設定はサーバ部２に送られ、候補に挙がらなくなる。
【図面の簡単な説明】
【０００７】
【図１】本発明の実施例である
【図２】従来技術の実施例である
【符号の説明】
【０００８】１  要求アプリ部
２  サーバ部
３  自動電話部
４  設定アプリ部
５  お店
６  要求条件
７  お店回答
８  お店データ
９  設定データ
１０  お店リスト
１１  予約電話
【図１】
2015122716.tif 000003
【図２】
2015122716.tif 000004
(57)【要約】【課題】  家庭や事業所にはテレビ・レコーダー・エアコンなど製品を操作するための赤外線リモコン装置があるが、距離が離れ過ぎていたり角度が少し違った場合、製品を操作できず、再度リモコンで操作をしなければいけないというような課題があった。  本発明はこの課題を解決し誰でも簡単・確実に製品を操作できるようにする、赤外線リモコン確実操作発光装置を提供する。【解決手段】  本発明品を通常の赤外線リモコン装置に取り付けて使用する。リモコンから発光される操作信号を本発明品で受光し内蔵のマイクロコンピューターで記憶、その後瞬時に発光部から、発光量を大きくし送信角度（指向性）を広くした赤外線の操作信号を発光させる。  リモコンから操作信号が１回しか発光されない場合でも数回連続で操作信号が発光される。  本発明品はリモコン装置に簡単取付けと使用が出来、電源は乾電池や充電池などを使用する。【選択図】図３
2015122715.tif 000002
【特許請求の範囲】
【請求項１】
本発明品は通常の赤外線リモコン装置に取り付けて使用する。リモコンを操作した際に発光される赤外線の操作信号を本発明品の受光部で受光し、この信号を本発明品に内蔵されたマイクロコンピューターで記憶する。その後、瞬時に本発明品の発光部から、通常リモコンよりも発光量が大きく、送信角度（指向性）も広い赤外線の操作信号を発光させる装置を提供する。
【請求項２】
本発明品は赤外線リモコン装置から発光される操作信号を、内蔵されたマイクロコンピューターで都度記憶し、その後、瞬時に本発明品の発光部から数回連続で赤外線の操作信号を発光させる。取り付けるリモコンからの操作信号が送信の際に１回しか発光されない場合でも使用が出来る請求項１の装置である。
【請求項３】
本発明品は赤外線リモコン装置であれば、メーカーや機種を問わず（テレビ、レコーダー、ステレオ、エアコンなど）ほとんどのリモコンに取り付けや使用が出来る請求項１の装置である。
【発明の詳細な説明】
【技術分野】
【０００１】  本発明品は家庭や事業所などでテレビ、レコーダー、ステレオ、エアコンなどの製品を操作のため赤外線リモコンを操作する際、リモコンと製品本体の距離が離れ過ぎていたり、リモコンを向ける角度が少し違ったため製品本体の操作が出来なかった、という場合に再度リモコンで同じ操作しなければいけないといった煩わしさを減らし、誰でも簡単・確実に製品本体の操作が出来るようにするものである。
【技術背景】
【０００２】  従来は赤外線リモコン装置に取り付けて使用する形で発光量を大きくする、送信角度（指向性）を広くする装置はなかった。
【特許文献】
【０００３】  該当文献については知りません。
【非特許文献】
【０００４】  該当文献については知りません。
【発明の開示】
【発明が解決しようとする課題】
【０００５】  家庭や事業所にはテレビ・レコーダー・ステレオ・エアコンなど製品を操作するための赤外線リモコン装置が多数あるが、リモコンと製品本体の距離が離れ過ぎていたり、リモコンを製品本体に向ける角度が少し違った場合、製品本体を操作できず、再度リモコンで同じ操作をしなければいけないというような問題があった。
本発明は赤外線リモコンに取り付けておくだけで、このようなわずらわしさを減らし、誰でも簡単・確実に製品本体の操作が出来るようにするものである。
【課題を解決するための手段】
【０００６】  この問題を解決するための請求項１の発明は通常の赤外線リモコン装置に取りつけて使用する。本発明品の受光部でリモコンから発光される操作信号を受光し、本発明品に内蔵されたマイクロコンピューターで記憶する。その後、瞬時に本発明品の発光部から、発光量を大きくし送信角度（指向性）を広くした操作信号を発光させる。【０００７】  また、請求項２の発明はリモコンから操作信号が１回しか発光されない場合でも、本発明品は数回連続で操作信号が発光されることで、操作が出来なく再度リモコンで同じ操作をしなければいけないというわずらわしさを減らす事が出来る。【０００８】  請求項３の発明はメーカーや機種を問わず（テレビ、レコーダー、ステレオ、エアコンなど）ほとんどの機種のリモコン装置で簡単に取り付けと使用が出来るようにする。
【発明の効果】
【０００９】  本発明品を赤外線リモコン装置に取り付ける事により、リモコンと同じ操作信号で発光量が大きくなり、送信角度（指向性）も広くなるので製品本体を操作する確実性が上がり、操作出来なかったというわずらわしさを減らす事が出来る。
そのため、収納ラックなどに製品本体を収めている場合にも効果がある。
以上の事により、誰でも簡単・確実に製品を操作する事が出来るようになる。
【発明を実施するための最良の形態】
【００１０】  図１は（１）通常の赤外線リモコン装置である。ボタンを操作した際に、（２）発光部から（３）赤外線の信号が発光されている事がわかる。【００１１】  図２は（４）本発明品で、（５）通常の赤外線リモコンを操作した際に出る赤外線信号を受光する。この受光部で赤外線リモコンからでた操作信号を受光し、本発明品に内蔵されたマイクロコンピューターで記憶する。その後、瞬時に発光量を大きくし、送信角度（指向性）が広くなった赤外線信号を前面の（６）発光部から発光する。本図にはないが電源は乾電池または充電池などを使用する。【００１２】  図３は本発明品を実際に使用する場合である。（４）本発明品に（１）通常の赤外線リモコン装置を取り付ける。テレビ・レコーダー・ステレオ・エアコンなど製品を操作のためリモコンを操作する際に（２）発光部から発せられる（３）赤外線信号を（４）本発明品の受光部で受光し、内蔵されたマイクロコンピューターで操作信号を記憶する。
その後、瞬時に（６）本発明品の発光部から（７）発光量が大きくなり、送信角度（指向性）が広くなった赤外線の操作信号が数回連続で発光される。
本図にはないが、本発明品への通常の赤外線ワイヤレスリモコン送信機の取り付け方法はゴムで固定、または止め具で固定するなど幾つかあるが、簡単に取り付けが出来るものである。
【産業上の利用可能性】
【００１３】  本発明の赤外線リモコン操作確実発光装置は、工業的に量産する事が可能であるため、産業上の利用可能性を有する。
【図面の簡単な説明】
【００１４】
【図１】  通常の赤外線リモコン装置
【図２】  本発明品
【図３】  本発明品を通常の赤外線リモコン装置に取り付けた図  本発明品から発せられる赤外線信号が通常のリモコン装置から発せられた赤外線信号よりも大きい事がわかる。
【符号の説明】
【００１５】    １．通常の赤外線リモコン装置
２．発光部（赤外線発光素子）
３．赤外線信号（通常の赤外線リモコンから発せられたもの）
４．本発明品
５．通常の赤外線リモコン装置から発せられる赤外線を受光する本発明品受光部
６．本発明品の発光部（赤外線発光素子、発光量の大きいもの）
７．赤外線信号（本発明品から発せられた発光量が大きいもの）
【図１】
2015122715.tif 000003
【図２】
2015122715.tif 000004
【図３】
2015122715.tif 000005
(57)【要約】【課題】スマートフォン、タブレット端末に提供されるゲームに夢中になり過ぎて、勉強が疎かになるため、保護者にとってはやらせたくない。【解決手段】はじめに学習コンテツサービスにおいて、保護者、または任意に選択した学習メニューを完了することでポイントを獲得し、そのポイントを利用して、提携したゲーム等のサービスを利用することができる。【選択図】図２
2015122044.tif 000002
【特許請求の範囲】
【請求項１】
ＰＣ、スマートフォン、タブレット等の電子機器端末において、ユーザーは、学習サービスで事前に購入した、または、無料提供された学習コンテンツに回答または回答後の採点結果により、一定の学習ポイントを獲得することができる。
【請求項２】
上記請求項１において獲得した学習ポイントを消費することにより、提携するゲーム等のサービスを開始または利用することができる。
【請求項３】
学習ポイントと提携ゲーム等のサービス間でのポイント交換比率を任意に定義することができる。
【請求項４】
学習ポイントは、学習コンテンツごとに又は利用者の学習習熟度などにより任意に設定することができる。
【請求項５】
学習ポイントの有無により提携ゲーム等のサービス開始の可否を決定することができる。学習ポイントがあらかじめ設定されたポイントを有する時に提携ゲームのサービスを開始することができる。
【請求項６】
提携ゲーム等のサービスは、学習ポイント・システムが提供するアプリケーション間連携のインターフェース情報に対応することで上記請求項１〜５に対応することができる。
【発明の詳細な説明】
【技術分野】
【０００１】本発明は、ＰＣ、スマートフォン、タブレット端末において提供するサービスの利用に関する。
【背景技術】
【０００２】従来アップル、グーグル（Ａｎｄｒｏｉｄ）をはじめとするアプリケーション提供サービスにおいて、これらのプラットフォーム事業者の一次的（直接）課金を利用するが、本発明は二次的にポイントを利用するものである。
【発明の開示】
【発明が解決しようとする課題】
【０００３】小学生、中学生、高校生などの未成年ユーザーにおいて、急激な普及が進むスマートフォンに代表される携帯端末のゲーム・コンテンツ等のサービスは、中毒化や学習意欲の低下を招く。
そのことは保護者にとって決して肯定できるものではない。
しかしながら、ゲームを禁止することは、現代社会において子供たち同士のコミュニケーションを阻害する恐れがありそれを原因としたいじめなどの様々の問題を引き起こす心配も予想させることから非常に難しく保護者の大きな課題となっている。【０００４】本発明は上記課題を鑑みなされたものであり、（１）保護者、（２）就学未成年ユーザー、（３）ゲーム・コンテンツ等サービス提供会社の３者間で、保護者には子供の学習量や質の管理を提供し、子供たちには保護者に許容された学習とゲームの両立した環境を提供し、ゲーム提供会社には保護者に認知されたゲーム・コンテンツサービスの提供が可能となる方法の提供を目的とする。
【課題を解決するための手段】
【０００５】学習すること、またはその達成度および継続度によりポイントを獲得し、そのポイントを消費することによりゲーム等のサービスを利用することができるポイント管理の仕組みを提供する。【０００６】上記０００５において、ゲーム等の別サービスは、本発明サービスのサーバー連携することによりポイントの状態、消費、付与の処理を行う。
【発明の効果】
【０００７】未成年ユーザーが勉強せずにゲームしか行わない状況や保護者に隠れてゲームを行う状況から、保護者の管理できる状況の下、最初に勉強してからゲームをするという習慣化がつくことにより子供の学習量および質を向上させることができる。【０００８】ゲーム等のサービス提供会社の社会的な位置付けの向上および、コンテンツの健全化に寄与することにより新たなユーザー層の拡大を見込める。【０００９】ＰＣ、スマートフォン、タブレット端末において学習ポイントサービスを提供し、特定の学習をすることでポイントを付与、また付与されたポイントを利用して目的の別サービスを利用することができる。
【実施例】
【００１０】保護者が購入した学習コンテンツを完了させることにより、ポイントを獲得し、本学習ポイント管理サービスと連携したゲーム等のサービスにおいて、未成年ユーザーが希望するサービスを利用することができる。【００１１】保護者がユーザー（子供）に学習させたい科目やレベルを選択できる。【００１２】保護者およびユーザー（子供）が、正解率などの学習効果を把握することができる。【００１３】保護者およびユーザー（子供）が、他のユーザーの相対的な位置付け、順位を認識させることで勉強へのさらなる興味付けを促進する。【００１４】ユーザー（子供）は、ポイント消化により与えられる時間内に限り、本学習ポイント管理サービスと連携したゲーム等のサービスを利用できる。
【産業上の利用可能性】
【００１５】発明を実施するための最良の形態と同じ。
【図面の簡単な説明】
【００１６】
【図１】本サービスとゲーム等のサービス提供会社との関係を示した絵図である。
【００１７】
【図２】実際のサービスフローを示した絵図である。
【図１】
2015122044.tif 000003
【図２】
2015122044.tif 000004
(57)【要約】【課題】  利用者クライアント１０の保存した電子データ２０を一定の期間保存して配信するシステムを提供することにある。【解決手段】  図１に示すように、利用者クライアント１０から、インターネット６０等のネットワークを利用して、本電子データ保存期間指定自動配信管理システムに電子データ２０と利用者クライアント情報、通知された日付情報、保存期間情報、保存期間終了後の配信先情報等の付加情報３０を受信後、受け取った電子データ２０に利用者クライアント情報、通知された日付情報、指定保存期間情報の付加情報３０をシステム１００で付加させ、電子データ保存期間指定自動配信管理システム管理サーバー４０に保存し、システム１０１で指定された一定期間保存後、システム１０２でインターネット６０等のネットワークを利用して、配信先５０に配信することにより解決する。【選択図】図１
2015122043.tif 000002
【特許請求の範囲】
【請求項１】
本発明のシステムは、利用者クライアントと本電子データ保存期間指定自動配信管理システムにおいて、利用者クライアントと関連付けられた電子データを本システム管理サーバーに一定期間保存し、一定期間保存終了後インターネット等のネットワークを利用して配信先５０に自動で配信する処理を特徴とするシステムである。
【請求項２】
請求項１において、利用者クライアントと関連付けられた電子データは、利用者クライアントからインターネット経由で又は郵送で送付された動画データ、静止画データ、テキストデータ、ドキュメント等の電子データであることを特徴とするシステムである。
【請求項３】
請求項１において、本電子データ保存期間指定自動配信管理システム管理サーバーに保存される利用者クライアントと関連付けられた電子データは、利用者クライアント情報、通知された日付情報、保存期間情報、保存期間終了後の配信先情報が付加されることを特徴とするシステムである。
【請求項４】
請求項１において、利用者クライアントと本電子データ保存期間指定自動配信管理システム管理者によるｅコマースであることを特徴とするシステムである
【請求項５】
請求項１において、利用者クライアントにより、利用者クライアントと関連付けられた電子データは、改版が行えることを特徴とするシステムである。
【請求項６】
請求項１において、利用者クライアントにより、利用者クライアントと関連付けられた電子データの利用状況を取得出来ることを特徴とするシステムである。
【請求項７】
請求項１において、利用者クライアントにより、利用者クライアントと関連付けられた電子データの付加状況を変更することができることを特徴するシステムである。
【請求項８】
請求項１を利用した電子データ保存期間指定自動配信管理システムアプリケーションソウトウェア。
【請求項９】
請求項１を利用した電子データ保存期間指定自動配信管理システムアプリケーションソウトウェア。
【請求項１０】
請求項２を利用した電子データ保存期間指定自動配信管理システムアプリケーションソウトウェア。
【請求項１１】
請求項３を特徴とする電子データ保存期間指定自動配信管理システムアプリケーションソウトウェア。
【請求項１２】
請求項４を特徴とする電子データ保存期間指定自動配信管理システムアプリケーションソウトウェア。
【請求項１３】
請求項５を特徴とする電子データ保存期間指定自動配信管理システムアプリケーションソウトウェア。
【請求項１４】
請求項６を特徴とする電子データ保存期間指定自動配信管理システムアプリケーションソウトウェア。
【請求項１５】
請求項７を特徴とする電子データ保存期間指定自動配信管理システムアプリケーションソウトウェア。
【発明の詳細な説明】
【発明の詳細な説明】
【技術分野】
【０００１】本発明は、電子データの保存分野、電子データの管理分野、電子データの配信分野に関する。
【背景技術】
【０００２】  複数利用クライアントの持つ電子データの配信は個人、又は企業の意思でリアルタイムで行われていることが一般的であった。
【発明が解決しようとする課題】
【０００３】利用者クライアント１０の保存した電子データ２０を一定の期間保存後、自動的に配信するシステムを提供することにある。
【課題を解決するための手段】
【０００４】図１に示すように、利用者クライアント１０から、インターネット６０等のネットワークを利用して、本電子データ保存期間指定自動配信管理システムに電子データ２０と利用者クライアント情報、通知された日付情報、保存期間情報、保存期間終了後の配信先情報等の付加情報３０を受信後、受け取った電子データ２０に利用者クライアント情報、通知された日付情報、指定保存期間情報、指定保存期間終了後の配信先情報等の付加情報３０をシステム１００で付加させ、電子データ保存期間指定自動配信管理システム管理サーバー４０に保存し、システム１０１で指定された一定期間保存後、システム１０２でインターネット６０等のネットワークを利用して、配信先５０に配信することにより解決する。
【０００５】  また、管理サーバーは随時増設されるため容量不足にはならない。
【０００６】  また、配信先は別サーバーに保存されたインターネットサイトである
［発明の実施形態］以下、図面を参照して、本発明の実施例について説明する。
【０００７】  本発明第１の実施形態による電子データ保存期間指定自動配信管理システムの構成を図１に示す。
利用者クライアント１０から、インターネット６０等のネットワークを利用して、本電子データ保存期間指定自動配信管理システムに電子データ２０と利用者クライアント情報、通知された日付情報、保存期間情報、保存期間終了後の配信先情報等の付加情報３０を受信後、受け取った電子データ２０に利用者クライアント情報、通知された日付情報、指定保存期間情報の付加情報３０をシステム１００で付加させ、電子データ保存期間指定自動配信管理システム管理サーバー４０に保存し、システム１０１で指定された一定期間保存後、システム１０２でインターネット６０等のネットワークを利用して、配信先５０に配信する
【０００８】  本発明第２の実施形態による電子データ保存期間指定自動配信管理システムの構成を図２に示す。
【発明の効果】
【０００９】  以上説明したように、本発明により、利用者クライアントの保存した電子データを利用クライアントが設定した期間保存が可能で、設定期間終了後自動で配信することが可能となる。
【図面の簡単な説明】
【００１０】
【図１】本発明の電子データ保存期間指定自動配信管理システムを示したブロック図である。
【図２】本発明の電子データ保存期間指定自動配信管理システムアプリケーションソフトウェアに展開したブロック図である。
【符号の説明】
【００１１】１０…利用者クライアント
２０…利用者クライアント１０から受け取った電子データ
３０…電子データ付加情報
４０…本電子データ保存期間指定自動配信管理システム管理サーバー
５０…配信先
６０…インターネット
１００…本システムの一部
１０１…本システムの一部
１０２…本システムの一部。
【図１】
2015122043.tif 000003
【図２】
2015122043.tif 000004
(57)【要約】      （修正有）【課題】アナログレコードの再生が終わっても、フォノモータが回り続け、レコード針がすり減ることを防止する。【解決手段】レコード最内周にトーンアームが達したことを位置から検出して再生終了と判断し、フォノモータの電源を切断する。【選択図】図１
2015122135.tif 000002
【特許請求の範囲】
【請求項１】
アナログレコードの再生に於いて、再生終了の検出をトーンアームがレコード最内周に達したことを位置から検出し、フォノモータの電源を切断する機能を備えることを特徴とする装置。
【請求項２】
請求項１の装置がトーンアームを上げることや、あるいはアームレスト位置に戻る動作に入ることなくフォノモータを止めることを特徴とする装置
【請求項３】
請求項１または２の検出方法が発光素子と受光素子間の光束をトーンアームによる遮断によって検出することを特徴とする装置。
【請求項４】
請求項１または２の検出方法がトーンアームに磁性体を取り付け、トーンアームの位置を磁気素子の磁気変化によって検出することを特徴とする装置。
【請求項５】
３または４の検出感度にヒステリシス特性を持たせたことを特徴とする装置
【請求項６】
請求項１または２の装置の検出方法が機械的なスイッチを使用することを特徴とする装置
【請求項７】
請求項１ないし５の装置がフォノモータの電源回路にフィルタ機能を備えることを特徴とする装置。
【発明の詳細な説明】
【技術分野】アナログレコードの再生装置に関する。
【背景技術】
【０００１】従来はレコード再生に置いて。音質にこだわることのない一般品については最内周になったことをトーンアームの角度から救出し、トーンアームを上げてアームレスト位置に戻るというものが普通に見受けられる。
音質に拘るものについては、そういった複雑な機構が音質的に悪影響を与え易いので、殆ど使われていない。この場合には音楽を聴いていて居眠りをすることがあると、最内周で回り続けてレコード針や回転部分の軸受けを摺り減らすことになる。そういう場合の対策としてオイルダンプ式のアームリフタや錘の回転動作にてトーンアームを持ち上げるものはいくつか見受けられた。いずれにせよいずれもがトーンアームを上げるということに主眼は置かれていた。
【発明の概要】
【発明が解決しようとする課題】
【０００２】  再生終了後に於ける、不要なレコード針と軸受けの磨耗を防ぎ、安心してレコード再生を満喫できるようにする。また、電源ノイズが与える音質への悪影響をも軽減する。
【課題を解決するための手段】
【０００３】  本発明は音質を損ねうる機械的な共振を誘発する機構を持つことなく、針を守るという発想によるものである。そのため最内周になるとフォノモータを回す電源を切るという意外な発想により、レコード針と軸受けの磨耗を削減する。従来のものはトーンアームを上げるという発想に主眼が置かれていたが、そのメカニズムが簡単ではないために、実現性にも問題があった。今回の発想はフォノモーターを止めるということで対応した。音質に悪影響を与えないための非接触構造や機械的に共振の無い構造になることで音質への悪影響を避けることができた。トーンアームが内周に達したことを機械的なスイッチで検出することもできるが、スイッチの動作が硬いと、カートリッジや、レコードに負担を与える可能性があるので、光学的や、磁気的な検出の方がより好ましい。
従来に有ったトーンアームを上げるだけの機構だと、フォノモータは回り続け、軸受けは磨耗する。【０００４】レコードの最内周になるとフォノモータの電源をカットする機能に加えてレコードプレイヤのフォノモータから発生する電磁気的な雑音をカットするためのフィルタとしてノイズフィルタを内蔵させる。
フォノモータは電源のダイオードのリカバリノイズやモーターのコイルの切り替えノイズが発生するタイプのものがあり、これらが音質的な悪影響をもたらす。また、電源ラインには他のインバーター機器、例えばエアコン、照明機器、などからの電磁気的なノイズがフォノモータに伝導して微小信号を扱うデリケートなカートリッジへの悪影響をもたらすが、これをも削減する。
【発明の効果】
【０００５】  レコード針の磨耗のみならず、回転体の軸受けの磨耗をも防ぎ、なおかつ電源ノイズの干渉を避けることで音質向上をもたらす。これらにより音楽を安心して満喫できる。
【図面の簡単な説明】
【図１】本発明の回路図である。
【図２】本発明の実施例の図である。
【発明を実施するための形態】
【実施例】
【０００６】  図１で、交流電源はＡＣ  ＩＮに入り、トランス；１１０とダイオード：１１１を経由してコンデンサ：１１２で平滑され、制御用の電源となる。ＬＥＤ：１００のからでた光束はフォトトランジスタ：１０２と負荷抵抗：１０３で受ける。基準電圧：１０５とオペアンプ：１０６と正帰還抵抗：１０４でヒステリシス特性を持たせてチャタリングを防止している。この出力でリレー：１０７を駆動するが、ＬＥＤ：１００とフォトトランジスタ：１０２間の光束をトーンアームで遮られると、リレーのコイルに電流が流れ、フォノモータの電源を遮断して、回転を止める。この電源回路には電源ノイズをカットするための例としてコモンモードチョークとコンデンサでフィルタ：１１３を構成している。オペアンプの代わりに、マイクロスイッチ：１０８を使うこともできる。【０００７】  図２は、実際の使用例で、ＬＥＤとフォトトランジスタ間の光束をトーンアームが内周になった場合に遮る様にセットした図である。
【産業上の利用可能性】
【０００８】  レコード再生に於いて、レコード針や軸受けの磨耗を気にすることなく、安心して音楽を楽しめるようになる。
【符号の説明】１００：ＬＥＤ、１０１、１０３、１０４：抵抗、１０２：フォトトランジスタ、１０５：基準電圧、１０６：オペアンプ、１０７：リレー、１０８：マイクロスイッチ、１１０：トランス、１１１：ダイオード、１１２：コンデンサ、１１３：ノイズフィルタ、
【図１】
2015122135.tif 000003
【図２】
2015122135.tif 000004
(57)【要約】      （修正有）【課題】中古車販売時に、走行距離以外の判断基準にて中古車の評価ができる方法を提供する。【解決手段】自動車メーカーの保証期間が満了した中古車の場合、又は自動車メーカーの保証する走行距離数を超えた中古車の場合、走行距離数を表示するオドメーターの数値を０ｋｍに変更することにより、中古車ではありえない走行距離数値を表示することでオドメーターの改竄を無くす。【選択図】図１
2015170348.tif 000002
【特許請求の範囲】
【請求項１】
自動車メーカーの保証期間が満了した中古車を販売する際、又は自動車メーカーの保証する走行距離数を超えた中古車を販売する際に、走行距離数を表示するオドメーターの数値を０ｋｍに表示する中古自動車販売方法。
【請求項２】
請求項１記載の中古車を販売する際に、メンテナンスを行った整備記録簿を購入者に提示し、販売後の整備管理も引き続き行う。
【発明の詳細な説明】
【技術分野】
【０００１】本発明は、顧客が細部に渡って中古車を評価し、安心して購入できる方法を提供する。
【背景技術】
【０００２】従来、中古車の売買では、走行距離や事故の有無、そして外観の見えている部分の傷の程度によって、売り手側及び買い手側が中古車の価値を評価していた。
【発明の概要】
【発明が解決しようとする課題】
【０００３】ところが、中古車を売買する際に、その中古車が適切なメンテナンスを行っているにも拘らず、年式が新しくても走行距離が多いことなどを理由に、価値を正しく評価されないことが多かった。【０００４】中古車を評価する際には、ミッションの交換の有無やタイヤの溝の残り具合など、その中古車が持っている付加価値が適正に評価されるべきであり、それに基づき中古車の価値が決定されるものである。【０００５】新車販売での自動車メーカーの保証としては、一般保証と特別保証とが一般的である。
一般保証では、登録から３年、若しくは走行距離が６万キロ以内の車で、エアコン、パワーウィンドー、電動ドアミラー、ナビゲーション、オーディオ、時計、リモコンドアロックなどの故障で適用される。【０００６】また、特別保証とは、登録から５年、若しくは走行距離が１０万キロ以内で、エンジン機構、ステアリング機構、ブレーキ機構、電力伝達機構などの故障で適用される。
上記の一般保証と特別保証での走行距離を表示又は管理するのが一般的に図１に記載するオドメーター４である。【０００７】ただ、以前より中古車を販売する際に、走行距離を表示するオドメーターの数値を少なく表示したりするメーターの改竄という問題がある。【０００８】それは、中古車の走行距離を少なく表示することで、メーカー保証を受けることができるように誘導したり、或いは、走行距離が少ない方が車両の傷み具合が少ないなどの思い込みを狙ったものである。【０００９】意図的にオドメーターを少なく表示する行為は、走行距離を偽って、第三者に中古車の価値があるがごとく間違った評価に誘導するもので、犯罪行為である。【００１０】また、意図的にではなくても、事故などでオドメーターを含む部品を交換したりすると、今までの走行距離が分からなくなり、評価そのものができないということになる。【００１１】近年では、車検証上に走行距離の履歴が掲載されるようになり、以前よりはオドメーターを改竄することは難しくなってきている。【００１２】現在、中古車を売買する市場として、オークションでの競り売りがある。【００１３】しかし、オークション会場では業者間取引が頻繁に行われ、個人間での売買はまだまだ少ないといえる。【００１４】その上、オークションで取引される際に、比較的年式は新しくても走行距離が１０万キロを超えたりすると、走行距離が長い分購入者は故障が起こり易いという先入観を持ち、その中古車の持つ利点や価値が判断し難くなってしまう。【００１５】また、自動車に詳しくない買い手に対して中古車を販売する際に、売り手側がオドメーターによる走行距離の数値が少ないことで車両の傷み具合が少ないような誘導をすることにより、当然買い手側が分かりうる瑕疵を確認できる機会を妨げることにもなる。【００１６】本来、買い手が中古車を購入した後でも、一定の期間又は一定の走行距離までは、買い手の過失によらない故障や瑕疵が起こっても保証できる制度があれば、買い手は安心して中古車を購入することができる。
【課題を解決するための手段】
【００１７】本発明は、自動車メーカーの保証期間が満了した中古車を販売する際、又は自動車メーカーの保証する走行距離数を超えた中古車を販売する際に、走行距離を表示するオドメーターの数値を０ｋｍに変更することにより、中古車ではありえない走行距離数値を表示することで、明らかに通常の中古車販売方法とは違い、中古車の各々のメンテナンスを行った上で、走行距離に頼らない中古車販売方法ができるものである。【００１８】これは、走行距離の距離数の多さにより敬遠されがちな車両でも、オドメーターの数値を０ｋｍにすることで走行距離以外に、その車両の価値を正しく認識することができ、売り手側と買い手側が互いに納得して売買することができる販売方法を提供する。【００１９】また、中古車を販売する際に、メンテナンスを行った整備記録簿を購入者に提示し、販売後の整備管理を引き続き行うことで、長期間に渡り売り手側がより良いメンテナンスを行うことができる。【００２０】そして、メンテナンス時の部品交換や消耗部品の交換並びに事故時の部品交換を行う際に、リサイクル部品を利用することで、環境にもやさしく、買い手側が購入した中古車を、安いメンテナンス費用で長期間利用することができる。
【発明の効果】
【００２１】また、中古車販売時にオドメーターの数値が０ｋｍというのは、オドメーターの数値がリセットされて初期化していることは買い手側が当然認識できることであり、オドメーターの改竄という問題もなくなり、買い手側が改竄・詐欺被害に巻き込まれることの無いよう安心して中古車を購入することができ、走行距離以外の判断基準にて中古車の評価ができるという利点がある。【００２２】なお、発明者が、以前に公正取引委員会にて口頭にて相談したところ、そのような販売方法がとれるのであれば、詐欺行為も少なくなり、安心して中古車を購入できる場を提供できると助言を受けている。
【図面の簡単な説明】
【図１】自動車内ダッシュボードに設置される計器類部分。
【符号の説明】      １      水温計
２      燃料計
３      油圧計
４      オドメーター
５      トリップメーター
６      速度計
７      回転計
８      トリップメーターリセットボタン
【図１】
2015170348.tif 000003